(57)【要約】【課題】短時間で安定したワニス含浸を行うことができる回転電機用ステータのワニス含浸装置及びワニス含浸方法を提供すること。【解決手段】回転電機用ステータ７のワニス含浸装置１においては、内周閉塞手段３及び外周閉塞手段４によって複数の電磁鋼板８１同士の間の隙間の全体を塞ぎ、ステータコア８の軸方向一端面８０１から突出する一方のコイルエンド部７１１を、ワニス貯留容器２内のワニスＷに接触させると共に、複数のスロット８２の軸方向一端面８０１における開口部８２１を外気と遮断させた状態を形成して、ステータ７を支持する。その後、減圧手段６１によって閉塞空間５０を減圧し、この閉塞空間５０の圧力をワニスＷの液圧（大気圧）よりも低くすることによって、一方のコイルエンド部７１１から複数のスロット８２内の隙間及びコイル７１の表面へのワニスＷの浸透を促進させる。【選択図】図１
2010239674.tif 000002
【特許請求の範囲】
【請求項１】
複数の電磁鋼板を軸方向に積層したステータコアにおける複数のスロット内にコイルを配置してなる回転電機用ステータに対し、上記複数のスロット内の隙間及び上記コイルの表面に、絶縁性のワニスを含浸させる装置であって、
ワニスを貯留するワニス貯留容器と、
上記ステータコアの内周側から、上記複数の電磁鋼板同士の間の隙間の全体を塞ぐ内周閉塞手段と、
上記ステータコアの外周側から、上記複数の電磁鋼板同士の間の隙間の全体を塞ぐ外周閉塞手段と、
上記複数のスロットの上記軸方向他端面における開口部を覆って、該開口部を外気と遮断する閉塞空間を形成する空間形成手段と、
該空間形成手段における上記閉塞空間を減圧する減圧手段とを有しており、
上記空間形成手段は、上記ステータコアの上記軸方向他端面に対向させる対向部と、該対向部から環状に立設して上記ステータコアの外周側に配置する外周配置部とを形成してなる器状フレームであり、
上記内周閉塞手段は、内部に気体を入れて膨張させることにより上記ステータコアの内周面に密着させるゴムチューブから構成してあり、
上記外周閉塞手段は、上記外周配置部に保持し、内部に気体を入れて膨張させることにより上記ステータコアの外周面に密着させる円環形状のゴムチューブから構成してあり、
上記内周閉塞手段及び上記外周閉塞手段によって上記複数の電磁鋼板同士の間の隙間の全体を塞ぎ、上記ステータコアの軸方向一端面から突出する上記コイルの一部である一方のコイルエンド部を、上記ワニス貯留容器内のワニスに接触させると共に、上記複数のスロットの上記軸方向一端面における開口部を外気と遮断させた状態、又は上記一方のコイルエンド部及び上記ステータコアの軸方向一端面を上記ワニス貯留容器内のワニスに浸漬させ、上記複数のスロットの上記軸方向一端面における開口部を上記ワニス貯留容器内のワニスに開口させた状態を形成して、上記ステータを支持した後、上記減圧手段によって上記閉塞空間を減圧し、該閉塞空間の圧力を上記ワニスの液圧よりも低くすることによって、上記一方のコイルエンド部から上記複数のスロット内の隙間及び上記コイルの表面への上記ワニスの浸透を促進させるよう構成したことを特徴とする回転電機用ステータのワニス含浸装置。
【請求項２】
複数の電磁鋼板を軸方向に積層したステータコアにおける複数のスロット内にコイルを配置してなる回転電機用ステータに対し、上記複数のスロット内の隙間及び上記コイルの表面に、絶縁性のワニスを含浸させる装置であって、
ワニスを貯留するワニス貯留容器と、
上記ステータコアの内周側の軸方向への連通状態を閉塞する内周連通閉塞手段と、
上記複数のスロットの上記軸方向他端面における開口部を覆って、該開口部を外気と遮断する閉塞空間を形成する空間形成手段と、
該空間形成手段における上記閉塞空間を減圧する減圧手段と、
上記ステータコアの軸方向他端面を、上記ワニス貯留容器における開口先端部に向けて押さえ付ける押圧手段とを有しており、
上記ワニス貯留容器は、その開口先端部を上記ステータコアの軸方向一端面に対して封止材を介して密着させて、上記複数のスロットの上記軸方向一端面における開口部を外気と遮断させた状態を形成するよう構成してあり、
上記空間形成手段は、その開口先端部を上記ステータコアの軸方向他端面に封止材を介して密着させた状態を形成するよう構成してあり、
上記内周連通閉塞手段によって上記ステータコアの内周側の軸方向への連通状態を閉塞し、上記ステータコアの軸方向一端面から突出する上記コイルの一部である一方のコイルエンド部を、上記ワニス貯留容器内のワニスに接触させ、かつ、上記押圧手段によって上記ステータコアの軸方向他端面を押圧することによって、該ステータコアを構成する上記複数の電磁鋼板同士の間の隙間をなくし、上記空間形成手段の開口先端部を上記ステータコアの軸方向他端面に封止材を介して密着させ、かつ上記ワニス貯留容器の開口先端部を上記ステータコアの軸方向一端面に封止材を介して密着させた状態を形成して、上記ステータを支持した後、上記減圧手段によって上記閉塞空間を減圧し、該閉塞空間の圧力を上記ワニスの液圧よりも低くすることによって、上記一方のコイルエンド部から上記複数のスロット内の隙間及び上記コイルの表面への上記ワニスの浸透を促進させるよう構成したことを特徴とする回転電機用ステータのワニス含浸装置。
【請求項３】
複数の電磁鋼板を軸方向に積層したステータコアにおける複数のスロット内にコイルを配置してなる回転電機用ステータに対し、上記複数のスロット内の隙間及び上記コイルの表面に、絶縁性のワニスを含浸させる装置であって、
ワニスを貯留するワニス貯留容器と、
上記ステータコアの内周側から、上記複数の電磁鋼板同士の間の隙間の全体を塞ぐ内周閉塞手段と、
上記ステータコアの外周側から、上記複数の電磁鋼板同士の間の隙間の全体を塞ぐ外周閉塞手段と、
上記ワニス貯留容器に貯留するワニスを、上記ステータコアの軸方向一端面に向けて加圧する加圧手段とを有しており、
上記内周閉塞手段及び上記外周閉塞手段によって上記複数の電磁鋼板同士の間の隙間の全体を塞ぎ、上記複数のスロットの上記軸方向一端面における開口部を外気と遮断させた状態を形成して、上記ステータを支持した後、上記加圧手段によって上記ワニス貯留容器内のワニスを上記ステータコアの軸方向一端面に向けて加圧することによって、上記ステータコアの軸方向一端面から突出する上記コイルの一部である一方のコイルエンド部を上記ワニス貯留容器内のワニスに浸漬させると共に、該ワニスを、上記複数のスロットの上記軸方向一端面における開口部から上記複数のスロット内の隙間及び上記コイルの表面へ浸透させるよう構成したことを特徴とする回転電機用ステータのワニス含浸装置。
【請求項４】
請求項３において、上記ワニス含浸装置は、上記複数のスロットの上記軸方向他端面における開口部を覆って、該開口部を外気と遮断する閉塞空間を形成する空間形成手段と、該空間形成手段における上記閉塞空間を減圧する減圧手段とを有しており、
上記空間形成手段は、上記ステータコアの上記軸方向他端面に対向させる対向部と、該対向部から環状に立設して上記ステータコアの外周側に配置する外周配置部とを形成してなる器状フレームであり、
上記内周閉塞手段は、内部に気体を入れて膨張させることにより上記ステータコアの内周面に密着させるゴムチューブから構成してあり、
上記外周閉塞手段は、上記外周配置部に保持し、内部に気体を入れて膨張させることにより上記ステータコアの外周面に密着させる円環形状のゴムチューブから構成してあり、
上記加圧手段によって上記ワニス貯留容器内のワニスを加圧する際には、上記減圧手段によって上記閉塞空間を減圧するよう構成してあることを特徴とする回転電機用ステータのワニス含浸装置。
【請求項５】
複数の電磁鋼板を軸方向に積層したステータコアにおける複数のスロット内にコイルを配置してなる回転電機用ステータに対し、上記複数のスロット内の隙間及び上記コイルの表面に、絶縁性のワニスを含浸させる装置であって、
ワニスを貯留するワニス貯留容器と、
上記ステータコアの内周側の軸方向への連通状態を閉塞する内周連通閉塞手段と、
上記ワニス貯留容器に貯留するワニスを、上記ステータコアの軸方向一端面に向けて加圧する加圧手段と、
上記ステータコアの軸方向他端面を、上記ワニス貯留容器における開口先端部に向けて押さえ付ける押圧手段とを有しており、
上記ワニス貯留容器は、その開口先端部を上記ステータコアの軸方向一端面に対して封止材を介して密着させて、上記複数のスロットの上記軸方向一端面における開口部を外気と遮断させた状態を形成するよう構成してあり、
上記内周連通閉塞手段によって上記ステータコアの内周側の軸方向への連通状態を閉塞し、上記押圧手段によって上記ステータコアの軸方向他端面を押圧することによって、該ステータコアを構成する上記複数の電磁鋼板同士の間の隙間をなくし、かつ上記ワニス貯留容器の開口先端部を上記ステータコアの軸方向一端面に封止材を介して密着させた状態を形成して、上記ステータを支持した後、上記加圧手段によって上記ワニス貯留容器内のワニスを上記ステータコアの軸方向一端面に向けて加圧することによって、上記ステータコアの軸方向一端面から突出する上記コイルの一部である一方のコイルエンド部を上記ワニス貯留容器内のワニスに浸漬させると共に、該ワニスを、上記複数のスロットの上記軸方向一端面における開口部から上記複数のスロット内の隙間及び上記コイルの表面へ浸透させるよう構成したことを特徴とする回転電機用ステータのワニス含浸装置。
【請求項６】
請求項５において、上記ワニス含浸装置は、上記複数のスロットの上記軸方向他端面における開口部を覆って、該開口部を外気と遮断する閉塞空間を形成する空間形成手段と、該空間形成手段における上記閉塞空間を減圧する減圧手段とを有しており、
上記空間形成手段は、上記ステータコアの上記軸方向他端面に対向させる対向部と、該対向部から環状に立設した環状立設部とを有し、該環状立設部の環状先端部を上記ステータコアの軸方向他端面に封止材を介して密着させた状態を形成するよう構成してあり、
上記加圧手段によって上記ワニス貯留容器内のワニスを加圧する際には、上記減圧手段によって上記閉塞空間を減圧するよう構成してあることを特徴とする回転電機用ステータのワニス含浸装置。
【請求項７】
複数の電磁鋼板を軸方向に積層したステータコアにおける複数のスロット内にコイルを配置してなる回転電機用ステータに対し、上記複数のスロット内の隙間及び上記コイルの表面に、絶縁性のワニスを含浸させる方法であって、
ワニスを貯留するワニス貯留容器と、上記ステータコアの内周側から、上記複数の電磁鋼板同士の間の隙間の全体を塞ぐ内周閉塞手段と、上記ステータコアの外周側から、上記複数の電磁鋼板同士の間の隙間の全体を塞ぐ外周閉塞手段と、上記複数のスロットの上記軸方向他端面における開口部を覆って、該開口部を外気と遮断する閉塞空間を形成する空間形成手段とを用い、
上記空間形成手段は、上記ステータコアの上記軸方向他端面に対向させる対向部と、該対向部から環状に立設して上記ステータコアの外周側に配置する外周配置部とを形成してなる器状フレームとし、上記内周閉塞手段は、内部に気体を入れて膨張させることにより上記ステータコアの内周面に密着させるゴムチューブから構成し、上記外周閉塞手段は、上記外周配置部に保持し、内部に気体を入れて膨張させることにより上記ステータコアの外周面に密着させる円環形状のゴムチューブから構成しておき、
上記内周閉塞手段及び上記外周閉塞手段によって上記複数の電磁鋼板同士の間の隙間の全体を塞ぎ、上記ステータコアの軸方向一端面から突出する上記コイルの一部である一方のコイルエンド部を、上記ワニス貯留容器内のワニスに接触させると共に、上記複数のスロットの上記軸方向一端面における開口部を外気と遮断させた状態、又は上記一方のコイルエンド部及び上記ステータコアの軸方向一端面を上記ワニス貯留容器内のワニスに浸漬させ、上記複数のスロットの上記軸方向一端面における開口部を上記ワニス貯留容器内のワニスに開口させた状態を形成して、上記ステータを支持するステータ支持工程と、
上記閉塞空間を減圧し、該閉塞空間の圧力を上記ワニスの液圧よりも低くすることによって、上記一方のコイルエンド部から上記複数のスロット内の隙間及び上記コイルの表面への上記ワニスの浸透を促進させるワニス含浸工程とを含むことを特徴とする回転電機用ステータのワニス含浸方法。
【請求項８】
複数の電磁鋼板を軸方向に積層したステータコアにおける複数のスロット内にコイルを配置してなる回転電機用ステータに対し、上記複数のスロット内の隙間及び上記コイルの表面に、絶縁性のワニスを含浸させる方法であって、
ワニスを貯留するワニス貯留容器と、上記ステータコアの内周側の軸方向への連通状態を閉塞する内周連通閉塞手段と、上記複数のスロットの上記軸方向他端面における開口部を覆って、該開口部を外気と遮断する閉塞空間を形成する空間形成手段とを用い、
上記ワニス貯留容器は、その開口先端部を上記ステータコアの軸方向一端面に対して封止材を介して密着させて、上記複数のスロットの上記軸方向一端面における開口部を外気と遮断させた状態を形成するよう構成し、上記空間形成手段は、その開口先端部を上記ステータコアの軸方向他端面に封止材を介して密着させた状態を形成するよう構成しておき、
上記内周連通閉塞手段によって上記ステータコアの内周側の軸方向への連通状態を閉塞し、上記ステータコアの軸方向一端面から突出する上記コイルの一部である一方のコイルエンド部を、上記ワニス貯留容器内のワニスに接触させ、かつ、上記ステータコアの軸方向他端面を押圧することによって、該ステータコアを構成する上記複数の電磁鋼板同士の間の隙間をなくし、上記空間形成手段の開口先端部を上記ステータコアの軸方向他端面に封止材を介して密着させ、かつ上記ワニス貯留容器の開口先端部を上記ステータコアの軸方向一端面に封止材を介して密着させた状態を形成して、上記ステータを支持するステータ支持工程と、
上記閉塞空間を減圧し、該閉塞空間の圧力を上記ワニスの液圧よりも低くすることによって、上記一方のコイルエンド部から上記複数のスロット内の隙間及び上記コイルの表面への上記ワニスの浸透を促進させるワニス含浸工程とを含むことを特徴とする回転電機用ステータのワニス含浸方法。
【請求項９】
複数の電磁鋼板を軸方向に積層したステータコアにおける複数のスロット内にコイルを配置してなる回転電機用ステータに対し、上記複数のスロット内の隙間及び上記コイルの表面に、絶縁性のワニスを含浸させる方法であって、
ワニスを貯留するワニス貯留容器と、上記ステータコアの内周側から、上記複数の電磁鋼板同士の間の隙間の全体を塞ぐ内周閉塞手段と、上記ステータコアの外周側から、上記複数の電磁鋼板同士の間の隙間の全体を塞ぐ外周閉塞手段とを用い、
上記内周閉塞手段及び上記外周閉塞手段によって上記複数の電磁鋼板同士の間の隙間の全体を塞ぎ、上記複数のスロットの上記軸方向一端面における開口部を外気と遮断させた状態を形成して、上記ステータを支持するステータ支持工程と、
上記ワニス貯留容器内のワニスを上記ステータコアの軸方向一端面に向けて加圧することによって、上記ステータコアの軸方向一端面から突出する上記コイルの一部である一方のコイルエンド部を上記ワニス貯留容器内のワニスに浸漬させると共に、該ワニスを、上記複数のスロットの上記軸方向一端面における開口部から上記複数のスロット内の隙間及び上記コイルの表面へ浸透させるワニス含浸工程とを含むことを特徴とする回転電機用ステータのワニス含浸方法。
【請求項１０】
複数の電磁鋼板を軸方向に積層したステータコアにおける複数のスロット内にコイルを配置してなる回転電機用ステータに対し、上記複数のスロット内の隙間及び上記コイルの表面に、絶縁性のワニスを含浸させる方法であって、
ワニスを貯留するワニス貯留容器と、上記ステータコアの内周側の軸方向への連通状態を閉塞する内周連通閉塞手段と、上記複数のスロットの上記軸方向他端面における開口部を覆って、該開口部を外気と遮断する閉塞空間を形成する空間形成手段とを用い、
上記ワニス貯留容器は、その開口先端部を上記ステータコアの軸方向一端面に対して封止材を介して密着させて、上記複数のスロットの上記軸方向一端面における開口部を外気と遮断させた状態を形成するよう構成し、上記空間形成手段は、その開口先端部を上記ステータコアの軸方向他端面に封止材を介して密着させた状態を形成するよう構成しておき、
上記内周連通閉塞手段によって上記ステータコアの内周側の軸方向への連通状態を閉塞し、上記押圧手段によって上記ステータコアの軸方向他端面を押圧することによって、該ステータコアを構成する上記複数の電磁鋼板同士の間の隙間をなくし、上記空間形成手段の開口先端部を上記ステータコアの軸方向他端面に封止材を介して密着させ、かつ上記ワニス貯留容器の開口先端部を上記ステータコアの軸方向一端面に封止材を介して密着させた状態を形成して、上記ステータを支持するステータ支持工程と、
上記加圧手段によって上記ワニス貯留容器内のワニスを上記ステータコアの軸方向一端面に向けて加圧することによって、上記ステータコアの軸方向一端面から突出する上記コイルの一部である一方のコイルエンド部を上記ワニス貯留容器内のワニスに浸漬させると共に、該ワニスを、上記複数のスロットの上記軸方向一端面における開口部から上記複数のスロット内の隙間及び上記コイルの表面へ浸透させるワニス含浸工程とを含むことを特徴とする回転電機用ステータのワニス含浸方法。
【発明の詳細な説明】
【技術分野】
【０００１】
本発明は、回転電機用ステータにおける複数のスロット内の隙間及びコイルの表面に、絶縁性のワニスを含浸させるワニス含浸装置及びワニス含浸方法に関する。
【背景技術】
【０００２】
回転電機用ステータに配置したコイルは、ステータコアのスロットに対するコイルの固定、コイルの導線同士の絶縁等を行うために、ステータコアに配置した後のコイルに対して、絶縁性のワニスを含浸させている。
例えば、特許文献１のステータのコイル部へのワニス含浸装置においては、保持装置によって筒状のステータを上下に向けて保持し、ワニス液を収容する容器を保持装置の下方に配置し、昇降装置によって、保持装置又は容器のいずれかを上下動させることにより、ステータの下部側のコイル部を容器内のワニス液に浸漬させることが開示されている。これにより、ステータのケースの外周面にワニスを付着させることなく、コイル部のみにワニスを付着させることにより、生産性を高くするとともに、ワニスの消費量を低減している。
【０００３】
また、例えば、特許文献２のワニス処理装置においては、水平方向に設けた回転軸に対して弾性体を介してステータを保持し、回転軸の回転によってステータを回転させながら、ステータの軸方向端面から突出したコイルの一部であるコイルエンド部に、ワニスを滴下させ、このワニスを、ステータコアのスロット内及びコイルの表面に浸透させることが開示されている。これにより、ステータコアおよびコイル部分の内周側へのワニスの付着を防止すると共に、ステータを回転軸に確実に固定することができる。
【０００４】
また、例えば、特許文献３の電気機器のワニス含浸方法においては、巻線及び鉄心を気密性の袋により多い、この袋内を減圧し、この減圧状態で袋内のワニスを巻線及び鉄心に含浸させることが開示されている。これにより、減圧状態にてワニスを含浸させることができ、ワニスを巻線の素線間や巻線と鉄心との間の狭い空間まで含浸させることができる。
【先行技術文献】
【特許文献】
【０００５】
【特許文献１】特開平９−１４９６０９号公報
【特許文献２】特開２００７−２０２３５４号公報
【特許文献３】特開平４−１１２６５１号公報
【発明の概要】
【発明が解決しようとする課題】
【０００６】
上記特許文献１、２のワニスの含浸装置等においては、いわゆる毛細管現象を利用して、複数のスロット内及びコイルの表面へワニスを浸透させている。しかしながら、コイルエンド部へワニスを浸透させることは容易であるが、複数のスロット内において、コイルの導線同士の間、導線と絶縁紙との間の狭い隙間へはワニスを浸透させることが容易ではない。そのため、スロット内へワニスを含浸させる時間を短縮するためには、特許文献１、２のワニスの含浸装置等によっては十分ではない。
また、上記特許文献３のワニス含浸方法においては、可撓性のある柔軟な袋内にワニス及びステータを配置して減圧を行っている。そのため、ステータを安定して支持することができず、ワニスを安定してコイルエンド部に接触させておくためには十分ではない。
【０００７】
本発明は、かかる従来の問題点に鑑みてなされたもので、短時間で安定したワニス含浸を行うことができる回転電機用ステータのワニス含浸装置及びワニス含浸方法を提供しようとするものである。
【課題を解決するための手段】
【０００８】
第１の発明は、複数の電磁鋼板を軸方向に積層したステータコアにおける複数のスロット内にコイルを配置してなる回転電機用ステータに対し、上記複数のスロット内の隙間及び上記コイルの表面に、絶縁性のワニスを含浸させる装置であって、
ワニスを貯留するワニス貯留容器と、
上記ステータコアの内周側から、上記複数の電磁鋼板同士の間の隙間の全体を塞ぐ内周閉塞手段と、
上記ステータコアの外周側から、上記複数の電磁鋼板同士の間の隙間の全体を塞ぐ外周閉塞手段と、
上記複数のスロットの上記軸方向他端面における開口部を覆って、該開口部を外気と遮断する閉塞空間を形成する空間形成手段と、
該空間形成手段における上記閉塞空間を減圧する減圧手段とを有しており、
上記空間形成手段は、上記ステータコアの上記軸方向他端面に対向させる対向部と、該対向部から環状に立設して上記ステータコアの外周側に配置する外周配置部とを形成してなる器状フレームであり、
上記内周閉塞手段は、内部に気体を入れて膨張させることにより上記ステータコアの内周面に密着させるゴムチューブから構成してあり、
上記外周閉塞手段は、上記外周配置部に保持し、内部に気体を入れて膨張させることにより上記ステータコアの外周面に密着させる円環形状のゴムチューブから構成してあり、
上記内周閉塞手段及び上記外周閉塞手段によって上記複数の電磁鋼板同士の間の隙間の全体を塞ぎ、上記ステータコアの軸方向一端面から突出する上記コイルの一部である一方のコイルエンド部を、上記ワニス貯留容器内のワニスに接触させると共に、上記複数のスロットの上記軸方向一端面における開口部を外気と遮断させた状態、又は上記一方のコイルエンド部及び上記ステータコアの軸方向一端面を上記ワニス貯留容器内のワニスに浸漬させ、上記複数のスロットの上記軸方向一端面における開口部を上記ワニス貯留容器内のワニスに開口させた状態を形成して、上記ステータを支持した後、上記減圧手段によって上記閉塞空間を減圧し、該閉塞空間の圧力を上記ワニスの液圧よりも低くすることによって、上記一方のコイルエンド部から上記複数のスロット内の隙間及び上記コイルの表面への上記ワニスの浸透を促進させるよう構成したことを特徴とする回転電機用ステータのワニス含浸装置にある（請求項１）。
【０００９】
本発明の回転電機用ステータのワニス含浸装置は、ステータコアの軸方向一端面におけるワニスの液圧よりも、ステータコアの軸方向他端面における圧力を低くすることによって、軸方向一端面から突出する一方のコイルエンド部から軸方向他端側に向けてワニスが浸透し易くする工夫を行っている。また、本発明の回転電機用ステータのワニス含浸装置は、ステータを安定してワニス貯留容器に支持して、安定したワニス含浸をするための工夫を行っている。
【００１０】
具体的には、本発明のワニス含浸装置は、上記ワニス貯留容器、内周閉塞手段、外周閉塞手段及び空間形成手段を備えており、これらによってステータをワニス貯留容器に安定して支持することができる。
すなわち、空間形成手段は、器状フレームから構成しており、内周閉塞手段及び外周閉塞手段は、いずれもゴムチューブから構成している。これにより、ステータの内周側に内周閉塞手段を構成するゴムチューブを配置し、ステータの外周側に外周閉塞手段を構成する円環環状のゴムチューブ及び空間形成手段を構成する器状フレームにおける外周配置部を配置して、各ゴムチューブ内に気体を入れて膨張させる。
【００１１】
このとき、内周閉塞手段を構成するゴムチューブは、ステータコアの内周面に密着し、外周閉塞手段を構成する円環形状のゴムチューブは、ステータコアの外周面に密着して、ステータコアを構成する複数の電磁鋼板同士の間の隙間の全体をステータコアの内周側及び外周側から塞ぐことができる。これにより、ステータを安定して支持することができる。
また、空間形成手段を構成する器状フレームによって、複数のスロットの軸方向他端面における開口部を外気と遮断した閉塞空間を形成することができる。
【００１２】
また、内周閉塞手段、外周閉塞手段及び空間形成手段によって支持するステータをワニス貯留容器に設置するときには、減圧手段により空間形成手段の閉塞空間内の減圧を行う際に、気体の抜けが生じないように、ステータコアの軸方向一端面側を閉塞状態にする。具体的には、ステータコアの軸方向一端面とワニス貯留容器の開口先端部との間を密閉して、複数のスロットの軸方向一端面における開口部を外気（ワニス貯留容器の外部）と遮断させた状態を形成するか、又はステータコアの軸方向一端面をワニス貯留容器内のワニスに浸漬させ、複数のスロットの軸方向一端面における開口部をワニス貯留容器内のワニスに開口させた状態を形成する。
これにより、ステータコアの軸方向一端面から突出する一方のコイルエンド部を、ワニス貯留容器内のワニスに安定して接触させることができる。
【００１３】
そして、減圧手段によって閉塞空間を減圧し、複数のスロットの軸方向他端面における開口部から真空引きを行う。このとき、閉塞空間は、真空状態になり、閉塞空間の圧力がワニスの液圧よりも低くなる。これにより、ステータコアの軸方向他端面側へワニスを浸透させる吸引力を発生させることができる。また、ステータコアを構成する各電磁鋼板の間の隙間の全体が内周側閉塞手段及び外周側閉塞手段によって閉塞されていることにより、ステータコアの軸方向他端面側への吸引力を、複数のスロット内の隙間にのみ作用させることができる。これにより、一方のコイルエンド部から複数のスロット内の隙間及びコイルの表面へのワニスの浸透を効果的に促進させることができる。そして、スロット内へワニスを含浸させる時間を短縮させることができる。特に、複数のスロット内においてコイルの導線同士の間、導線と絶縁紙との間の狭い隙間へ、一方のコイルエンド部から他方のコイルエンド部へとワニスを効果的に浸透させることができる。
【００１４】
また、上記のごとく、内周閉塞手段、外周閉塞手段及び空間形成手段によってステータをワニス貯留容器に安定して支持することにより、ステータに対するワニスの接触状態が不安定になることを防止することができ、安定してワニス含浸を行うことができる。
それ故、本発明の回転電機用ステータのワニス含浸装置によれば、ステータを安定して支持することができ、短時間で安定したワニス含浸を行うことができる。
【００１５】
第２の発明は、複数の電磁鋼板を軸方向に積層したステータコアにおける複数のスロット内にコイルを配置してなる回転電機用ステータに対し、上記複数のスロット内の隙間及び上記コイルの表面に、絶縁性のワニスを含浸させる装置であって、
ワニスを貯留するワニス貯留容器と、
上記ステータコアの内周側の軸方向への連通状態を閉塞する内周連通閉塞手段と、
上記複数のスロットの上記軸方向他端面における開口部を覆って、該開口部を外気と遮断する閉塞空間を形成する空間形成手段と、
該空間形成手段における上記閉塞空間を減圧する減圧手段と、
上記ステータコアの軸方向他端面を、上記ワニス貯留容器における開口先端部に向けて押さえ付ける押圧手段とを有しており、
上記ワニス貯留容器は、その開口先端部を上記ステータコアの軸方向一端面に対して封止材を介して密着させて、上記複数のスロットの上記軸方向一端面における開口部を外気と遮断させた状態を形成するよう構成してあり、
上記空間形成手段は、その開口先端部を上記ステータコアの軸方向他端面に封止材を介して密着させた状態を形成するよう構成してあり、
上記内周連通閉塞手段によって上記ステータコアの内周側の軸方向への連通状態を閉塞し、上記ステータコアの軸方向一端面から突出する上記コイルの一部である一方のコイルエンド部を、上記ワニス貯留容器内のワニスに接触させ、かつ、上記押圧手段によって上記ステータコアの軸方向他端面を押圧することによって、該ステータコアを構成する上記複数の電磁鋼板同士の間の隙間をなくし、上記空間形成手段の開口先端部を上記ステータコアの軸方向他端面に封止材を介して密着させ、かつ上記ワニス貯留容器の開口先端部を上記ステータコアの軸方向一端面に封止材を介して密着させた状態を形成して、上記ステータを支持した後、上記減圧手段によって上記閉塞空間を減圧し、該閉塞空間の圧力を上記ワニスの液圧よりも低くすることによって、上記一方のコイルエンド部から上記複数のスロット内の隙間及び上記コイルの表面への上記ワニスの浸透を促進させるよう構成したことを特徴とする回転電機用ステータのワニス含浸装置にある（請求項２）。
【００１６】
本発明の回転電機用ステータのワニス含浸装置も、ステータコアの軸方向一端面におけるワニスの液圧よりも、ステータコアの軸方向他端面における圧力を低くすることによって、軸方向一端面から突出する一方のコイルエンド部から軸方向他端側に向けてワニスが浸透し易くする工夫を行っている。また、本発明の回転電機用ステータのワニス含浸装置も、ステータを安定してワニス貯留容器に支持して、安定したワニス含浸をするための工夫を行っている。
【００１７】
具体的には、本発明のワニス含浸装置は、上記ワニス貯留容器、内周連通閉塞手段、空間形成手段及び押圧手段を備えており、これらによってステータをワニス貯留容器に安定して支持することができる。
すなわち、本発明においては、押圧手段によってステータコアの軸方向他端面を押圧することによって、ワニス貯留容器の開口先端部との間に、ステータコアを挟み込み、ステータコアを構成する複数の電磁鋼板の間の隙間をなくすことができる。そして、押圧手段によって押圧していることにより、ステータを安定してワニス貯留容器に支持することができる。
また、空間形成手段によって、複数のスロットの軸方向他端面における開口部を外気と遮断した閉塞空間を形成することができる。なお、押圧手段は、空間形成手段を押圧することによって、ステータコアの軸方向他端面を押圧することができる。
【００１８】
また、内周連通閉塞手段、空間形成手段及び押圧手段によって支持するステータをワニス貯留容器に設置するときには、減圧手段により空間形成手段の閉塞空間内の減圧を行う際に、気体の抜けが生じないように、ステータコアの軸方向一端面側を閉塞状態にする。具体的には、押圧手段によってステータコアの軸方向他端面を押圧することによって、複数の電磁鋼板同士の間の隙間をなくし、空間形成手段の開口先端部をステータコアの軸方向他端面に封止材を介して密着させ、かつワニス貯留容器の開口先端部をステータコアの軸方向一端面に封止材を介して密着させた状態を形成する。
これにより、減圧手段により減圧を行う際の気密状態を確保し、ステータコアの軸方向一端面から突出する一方のコイルエンド部を、ワニス貯留容器内のワニスに安定して接触させることができる。
【００１９】
そして、減圧手段によって閉塞空間を減圧し、複数のスロットの軸方向他端面における開口部から真空引きを行う。このとき、閉塞空間は、真空状態になり、閉塞空間の圧力がワニスの液圧よりも低くなる。これにより、ステータコアの軸方向他端面側へワニスを浸透させる吸引力を発生させることができる。また、ステータコアを構成する各電磁鋼板の間の隙間の全体が押圧手段による押圧力を受けて閉塞されていることにより、ステータコアの軸方向他端面側への吸引力を、複数のスロット内の隙間にのみ作用させることができる。これにより、一方のコイルエンド部から複数のスロット内の隙間及びコイルの表面へのワニスの浸透を効果的に促進させることができる。そして、スロット内へワニスを含浸させる時間を短縮させることができる。特に、複数のスロット内においてコイルの導線同士の間、導線と絶縁紙との間の狭い隙間へ、一方のコイルエンド部から他方のコイルエンド部へとワニスを効果的に浸透させることができる。
【００２０】
また、上記のごとく、内周連通閉塞手段、空間形成手段及び押圧手段によってステータをワニス貯留容器に安定して支持することにより、ステータに対するワニスの接触状態が不安定になることを防止することができ、安定してワニス含浸を行うことができる。
それ故、本発明の回転電機用ステータのワニス含浸装置によれば、ステータを安定して支持することができ、短時間で安定したワニス含浸を行うことができる。
【００２１】
第３の発明は、複数の電磁鋼板を軸方向に積層したステータコアにおける複数のスロット内にコイルを配置してなる回転電機用ステータに対し、上記複数のスロット内の隙間及び上記コイルの表面に、絶縁性のワニスを含浸させる装置であって、
ワニスを貯留するワニス貯留容器と、
上記ステータコアの内周側から、上記複数の電磁鋼板同士の間の隙間の全体を塞ぐ内周閉塞手段と、
上記ステータコアの外周側から、上記複数の電磁鋼板同士の間の隙間の全体を塞ぐ外周閉塞手段と、
上記ワニス貯留容器に貯留するワニスを、上記ステータコアの軸方向一端面に向けて加圧する加圧手段とを有しており、
上記内周閉塞手段及び上記外周閉塞手段によって上記複数の電磁鋼板同士の間の隙間の全体を塞ぎ、上記複数のスロットの上記軸方向一端面における開口部を外気と遮断させた状態を形成して、上記ステータを支持した後、上記加圧手段によって上記ワニス貯留容器内のワニスを上記ステータコアの軸方向一端面に向けて加圧することによって、上記ステータコアの軸方向一端面から突出する上記コイルの一部である一方のコイルエンド部を上記ワニス貯留容器内のワニスに浸漬させると共に、該ワニスを、上記複数のスロットの上記軸方向一端面における開口部から上記複数のスロット内の隙間及び上記コイルの表面へ浸透させるよう構成したことを特徴とする回転電機用ステータのワニス含浸装置にある（請求項３）
【００２２】
本発明の回転電機用ステータのワニス含浸装置は、ワニス貯留容器内のワニスを加圧することによって、軸方向一端面から突出する一方のコイルエンド部から軸方向他端側に向けてワニスを強制的に含浸させる工夫を行っている。
本発明においては、内周閉塞手段及び外周閉塞手段によって支持するステータをワニス貯留容器に設置するときには、加圧手段によりワニス貯留容器内のワニスの加圧を行う際に、ワニスの漏れが生じないように、ステータコアの軸方向一端面側を閉塞状態にする。
【００２３】
具体的には、内周閉塞手段及び外周閉塞手段によって複数の電磁鋼板同士の間の隙間の全体を塞ぎ、ステータコアの軸方向一端面とワニス貯留容器の開口先端部との間を密閉して、複数のスロットの軸方向一端面における開口部を外気（ワニス貯留容器の外部）と遮断させた状態を形成して、ステータをワニス貯留容器に支持する。
これにより、加圧手段によりワニスの加圧を行う際に、複数の電磁鋼板同士の間の隙間、及びステータコアの軸方向一端面側とワニス貯留容器との間からワニス漏れがないようにすることができる。
【００２４】
そして、加圧手段によってワニス貯留容器内のワニスをステータコアの軸方向一端面に向けて加圧する。このとき、ワニス貯留容器内のワニスが移動し、ステータコアの軸方向一端面から突出する一方のコイルエンド部がワニス貯留容器内のワニスに浸漬される。また、内周閉塞手段及び外周閉塞手段によってステータコアを構成する各電磁鋼板の間の隙間の全体が閉塞され、かつ複数のスロットの軸方向一端面側の開口部が外気と閉塞されていることにより、ステータコアの軸方向他端面側へのワニスの圧力を、複数のスロット内の隙間にのみ作用させることができる。
【００２５】
これにより、一方のコイルエンド部から複数のスロット内の隙間及びコイルの表面へ、ワニスを効果的に含浸させることができる。そして、スロット内へワニスを含浸させる時間を短縮させることができる。特に、複数のスロット内においてコイルの導線同士の間、導線と絶縁紙との間の狭い隙間へ、一方のコイルエンド部から他方のコイルエンド部へとワニスを効果的に含浸させることができる。
それ故、本発明の回転電機用ステータのワニス含浸装置によれば、ワニスに加えられた圧力によって、短時間で安定したワニス含浸を行うことができる。
【００２６】
第４の発明は、複数の電磁鋼板を軸方向に積層したステータコアにおける複数のスロット内にコイルを配置してなる回転電機用ステータに対し、上記複数のスロット内の隙間及び上記コイルの表面に、絶縁性のワニスを含浸させる装置であって、
ワニスを貯留するワニス貯留容器と、
上記ステータコアの内周側の軸方向への連通状態を閉塞する内周連通閉塞手段と、
上記ワニス貯留容器に貯留するワニスを、上記ステータコアの軸方向一端面に向けて加圧する加圧手段と、
上記ステータコアの軸方向他端面を、上記ワニス貯留容器における開口先端部に向けて押さえ付ける押圧手段とを有しており、
上記ワニス貯留容器は、その開口先端部を上記ステータコアの軸方向一端面に対して封止材を介して密着させて、上記複数のスロットの上記軸方向一端面における開口部を外気と遮断させた状態を形成するよう構成してあり、
上記内周連通閉塞手段によって上記ステータコアの内周側の軸方向への連通状態を閉塞し、上記押圧手段によって上記ステータコアの軸方向他端面を押圧することによって、該ステータコアを構成する上記複数の電磁鋼板同士の間の隙間をなくし、かつ上記ワニス貯留容器の開口先端部を上記ステータコアの軸方向一端面に封止材を介して密着させた状態を形成して、上記ステータを支持した後、上記加圧手段によって上記ワニス貯留容器内のワニスを上記ステータコアの軸方向一端面に向けて加圧することによって、上記ステータコアの軸方向一端面から突出する上記コイルの一部である一方のコイルエンド部を上記ワニス貯留容器内のワニスに浸漬させると共に、該ワニスを、上記複数のスロットの上記軸方向一端面における開口部から上記複数のスロット内の隙間及び上記コイルの表面へ浸透させるよう構成したことを特徴とする回転電機用ステータのワニス含浸装置にある（請求項５）。
【００２７】
本発明の回転電機用ステータのワニス含浸装置も、ワニス貯留容器内のワニスを加圧することによって、軸方向一端面から突出する一方のコイルエンド部から軸方向他端側に向けてワニスを強制的に含浸させる工夫を行っている。
本発明のワニス含浸装置は、上記ワニス貯留容器、内周連通閉塞手段及び押圧手段を備えており、これらによってステータをワニス貯留容器に安定して支持することができる。
【００２８】
すなわち、本発明においては、押圧手段によってステータコアの軸方向他端面を押圧することによって、ワニス貯留容器の開口先端部との間に、ステータコアを挟み込み、ステータコアを構成する複数の電磁鋼板の間の隙間をなくすことができる。そして、押圧手段によって押圧していることにより、ステータを安定してワニス貯留容器に支持することができる。
また、本発明においては、ステータをワニス貯留容器に設置するときには、加圧手段によりワニス貯留容器内のワニスの加圧を行う際に、ワニスの漏れが生じないように、ステータコアの軸方向一端面側を閉塞状態にする。
【００２９】
具体的には、押圧手段によって押圧することによって複数の電磁鋼板同士の間の隙間の全体を塞ぎ、ステータコアの軸方向一端面とワニス貯留容器の開口先端部との間を密閉して、複数のスロットの軸方向一端面における開口部を外気（ワニス貯留容器の外部）と遮断させた状態を形成して、ステータをワニス貯留容器に支持する。
これにより、加圧手段によりワニスの加圧を行う際に、複数の電磁鋼板同士の間の隙間、及びステータコアの軸方向一端面側とワニス貯留容器との間からワニス漏れがないようにすることができる。
【００３０】
そして、加圧手段によってワニス貯留容器内のワニスをステータコアの軸方向一端面に向けて加圧する。このとき、ワニス貯留容器内のワニスが移動し、ステータコアの軸方向一端面から突出する一方のコイルエンド部がワニス貯留容器内のワニスに浸漬される。また、ステータコアを構成する各電磁鋼板の間の隙間の全体が閉塞され、かつ複数のスロットの軸方向一端面側の開口部が外気と閉塞されていることにより、ステータコアの軸方向他端面側へのワニスの圧力を、複数のスロット内の隙間にのみ作用させることができる。
【００３１】
これにより、一方のコイルエンド部から複数のスロット内の隙間及びコイルの表面へ、ワニスを効果的に含浸させることができる。そして、スロット内へワニスを含浸させる時間を短縮させることができる。特に、複数のスロット内においてコイルの導線同士の間、導線と絶縁紙との間の狭い隙間へ、一方のコイルエンド部から他方のコイルエンド部へとワニスを効果的に含浸させることができる。
それ故、本発明の回転電機用ステータのワニス含浸装置によっても、ワニスに加えられた圧力によって、短時間で安定したワニス含浸を行うことができる。
【００３２】
第５の発明は、複数の電磁鋼板を軸方向に積層したステータコアにおける複数のスロット内にコイルを配置してなる回転電機用ステータに対し、上記複数のスロット内の隙間及び上記コイルの表面に、絶縁性のワニスを含浸させる方法であって、
ワニスを貯留するワニス貯留容器と、上記ステータコアの内周側から、上記複数の電磁鋼板同士の間の隙間の全体を塞ぐ内周閉塞手段と、上記ステータコアの外周側から、上記複数の電磁鋼板同士の間の隙間の全体を塞ぐ外周閉塞手段と、上記複数のスロットの上記軸方向他端面における開口部を覆って、該開口部を外気と遮断する閉塞空間を形成する空間形成手段とを用い、
上記空間形成手段は、上記ステータコアの上記軸方向他端面に対向させる対向部と、該対向部から環状に立設して上記ステータコアの外周側に配置する外周配置部とを形成してなる器状フレームとし、上記内周閉塞手段は、内部に気体を入れて膨張させることにより上記ステータコアの内周面に密着させるゴムチューブから構成し、上記外周閉塞手段は、上記外周配置部に保持し、内部に気体を入れて膨張させることにより上記ステータコアの外周面に密着させる円環形状のゴムチューブから構成しておき、
上記内周閉塞手段及び上記外周閉塞手段によって上記複数の電磁鋼板同士の間の隙間の全体を塞ぎ、上記ステータコアの軸方向一端面から突出する上記コイルの一部である一方のコイルエンド部を、上記ワニス貯留容器内のワニスに接触させると共に、上記複数のスロットの上記軸方向一端面における開口部を外気と遮断させた状態、又は上記一方のコイルエンド部及び上記ステータコアの軸方向一端面を上記ワニス貯留容器内のワニスに浸漬させ、上記複数のスロットの上記軸方向一端面における開口部を上記ワニス貯留容器内のワニスに開口させた状態を形成して、上記ステータを支持するステータ支持工程と、
上記閉塞空間を減圧し、該閉塞空間の圧力を上記ワニスの液圧よりも低くすることによって、上記一方のコイルエンド部から上記複数のスロット内の隙間及び上記コイルの表面への上記ワニスの浸透を促進させるワニス含浸工程とを含むことを特徴とする回転電機用ステータのワニス含浸方法にある（請求項７）
【００３３】
本発明の回転電機用ステータのワニス含浸方法は、上記ステータ支持工程及びワニス含浸工程を行うことにより、上記第１の発明と同様の作用効果を得ることができる。
それ故、本発明の回転電機用ステータのワニス含浸方法によれば、ステータを安定して支持することができ、短時間で安定したワニス含浸を行うことができる。
【００３４】
第６の発明は、複数の電磁鋼板を軸方向に積層したステータコアにおける複数のスロット内にコイルを配置してなる回転電機用ステータに対し、上記複数のスロット内の隙間及び上記コイルの表面に、絶縁性のワニスを含浸させる方法であって、
ワニスを貯留するワニス貯留容器と、上記ステータコアの内周側の軸方向への連通状態を閉塞する内周連通閉塞手段と、上記複数のスロットの上記軸方向他端面における開口部を覆って、該開口部を外気と遮断する閉塞空間を形成する空間形成手段とを用い、
上記ワニス貯留容器は、その開口先端部を上記ステータコアの軸方向一端面に対して封止材を介して密着させて、上記複数のスロットの上記軸方向一端面における開口部を外気と遮断させた状態を形成するよう構成し、上記空間形成手段は、その開口先端部を上記ステータコアの軸方向他端面に封止材を介して密着させた状態を形成するよう構成しておき、
上記内周連通閉塞手段によって上記ステータコアの内周側の軸方向への連通状態を閉塞し、上記ステータコアの軸方向一端面から突出する上記コイルの一部である一方のコイルエンド部を、上記ワニス貯留容器内のワニスに接触させ、かつ、上記ステータコアの軸方向他端面を押圧することによって、該ステータコアを構成する上記複数の電磁鋼板同士の間の隙間をなくし、上記空間形成手段の開口先端部を上記ステータコアの軸方向他端面に封止材を介して密着させ、かつ上記ワニス貯留容器の開口先端部を上記ステータコアの軸方向一端面に封止材を介して密着させた状態を形成して、上記ステータを支持するステータ支持工程と、
上記閉塞空間を減圧し、該閉塞空間の圧力を上記ワニスの液圧よりも低くすることによって、上記一方のコイルエンド部から上記複数のスロット内の隙間及び上記コイルの表面への上記ワニスの浸透を促進させるワニス含浸工程とを含むことを特徴とする回転電機用ステータのワニス含浸方法にある（請求項８）
【００３５】
本発明の回転電機用ステータのワニス含浸方法は、上記ステータ支持工程及びワニス含浸工程を行うことにより、上記第２の発明と同様の作用効果を得ることができる。
それ故、本発明の回転電機用ステータのワニス含浸方法によれば、ステータを安定して支持することができ、短時間で安定したワニス含浸を行うことができる。
【００３６】
第７の発明は、複数の電磁鋼板を軸方向に積層したステータコアにおける複数のスロット内にコイルを配置してなる回転電機用ステータに対し、上記複数のスロット内の隙間及び上記コイルの表面に、絶縁性のワニスを含浸させる方法であって、
ワニスを貯留するワニス貯留容器と、上記ステータコアの内周側から、上記複数の電磁鋼板同士の間の隙間の全体を塞ぐ内周閉塞手段と、上記ステータコアの外周側から、上記複数の電磁鋼板同士の間の隙間の全体を塞ぐ外周閉塞手段とを用い、
上記内周閉塞手段及び上記外周閉塞手段によって上記複数の電磁鋼板同士の間の隙間の全体を塞ぎ、上記複数のスロットの上記軸方向一端面における開口部を外気と遮断させた状態を形成して、上記ステータを支持するステータ支持工程と、
上記ワニス貯留容器内のワニスを上記ステータコアの軸方向一端面に向けて加圧することによって、上記ステータコアの軸方向一端面から突出する上記コイルの一部である一方のコイルエンド部を上記ワニス貯留容器内のワニスに浸漬させると共に、該ワニスを、上記複数のスロットの上記軸方向一端面における開口部から上記複数のスロット内の隙間及び上記コイルの表面へ浸透させるワニス含浸工程とを含むことを特徴とする回転電機用ステータのワニス含浸方法にある（請求項９）
【００３７】
本発明の回転電機用ステータのワニス含浸方法は、上記ステータ支持工程及びワニス含浸工程を行うことにより、上記第３の発明と同様の作用効果を得ることができる。
それ故、本発明の回転電機用ステータのワニス含浸方法によれば、ワニスに加えられた圧力によって、短時間で安定したワニス含浸を行うことができる。
【００３８】
第８の発明は、複数の電磁鋼板を軸方向に積層したステータコアにおける複数のスロット内にコイルを配置してなる回転電機用ステータに対し、上記複数のスロット内の隙間及び上記コイルの表面に、絶縁性のワニスを含浸させる方法であって、
ワニスを貯留するワニス貯留容器と、上記ステータコアの内周側の軸方向への連通状態を閉塞する内周連通閉塞手段と、上記複数のスロットの上記軸方向他端面における開口部を覆って、該開口部を外気と遮断する閉塞空間を形成する空間形成手段とを用い、
上記ワニス貯留容器は、その開口先端部を上記ステータコアの軸方向一端面に対して封止材を介して密着させて、上記複数のスロットの上記軸方向一端面における開口部を外気と遮断させた状態を形成するよう構成し、上記空間形成手段は、その開口先端部を上記ステータコアの軸方向他端面に封止材を介して密着させた状態を形成するよう構成しておき、
上記内周連通閉塞手段によって上記ステータコアの内周側の軸方向への連通状態を閉塞し、上記押圧手段によって上記ステータコアの軸方向他端面を押圧することによって、該ステータコアを構成する上記複数の電磁鋼板同士の間の隙間をなくし、上記空間形成手段の開口先端部を上記ステータコアの軸方向他端面に封止材を介して密着させ、かつ上記ワニス貯留容器の開口先端部を上記ステータコアの軸方向一端面に封止材を介して密着させた状態を形成して、上記ステータを支持するステータ支持工程と、
上記加圧手段によって上記ワニス貯留容器内のワニスを上記ステータコアの軸方向一端面に向けて加圧することによって、上記ステータコアの軸方向一端面から突出する上記コイルの一部である一方のコイルエンド部を上記ワニス貯留容器内のワニスに浸漬させると共に、該ワニスを、上記複数のスロットの上記軸方向一端面における開口部から上記複数のスロット内の隙間及び上記コイルの表面へ浸透させるワニス含浸工程とを含むことを特徴とする回転電機用ステータのワニス含浸方法にある（請求項１０）
【００３９】
本発明の回転電機用ステータのワニス含浸方法は、上記ステータ支持工程及びワニス含浸工程を行うことにより、上記第４の発明と同様の作用効果を得ることができる。
それ故、本発明の回転電機用ステータのワニス含浸方法によれば、ワニスに加えられた圧力によって、短時間で安定したワニス含浸を行うことができる。
【図面の簡単な説明】
【００４０】
【図１】実施例１における、回転電機用ステータのワニス含浸装置を示す断面説明図。
【図２】実施例１における、ワニス含浸装置について、ステータの軸方向に直交する方向の断面を示す断面説明図。
【図３】実施例１における、他の回転電機用ステータのワニス含浸装置を示す断面説明図。
【図４】実施例１における、ステータを回転電機のフレームに取り付けた状態を示す断面説明図。
【図５】実施例２における、回転電機用ステータのワニス含浸装置を示す断面説明図。
【図６】実施例２における、減圧前の他の回転電機用ステータのワニス含浸装置を示す断面説明図。
【図７】実施例２における、減圧時の他の回転電機用ステータのワニス含浸装置を示す断面説明図。
【図８】実施例３における、加圧前の回転電機用ステータのワニス含浸装置を示す断面説明図。
【図９】実施例３における、加圧時の回転電機用ステータのワニス含浸装置を示す断面説明図。
【図１０】実施例３における、加圧及び減圧前の他の回転電機用ステータのワニス含浸装置を示す断面説明図。
【図１１】実施例３における、加圧及び減圧時の他の回転電機用ステータのワニス含浸装置を示す断面説明図。
【図１２】実施例４における、加圧前の回転電機用ステータのワニス含浸装置を示す断面説明図。
【図１３】実施例４における、加圧時の回転電機用ステータのワニス含浸装置を示す断面説明図。
【発明を実施するための形態】
【００４１】
上述した第１〜第８の発明における好ましい実施の形態につき説明する。
第１、第２、第５、第６の発明において、上記ワニスの液圧とは、ワニスに加わる圧力状態のことをいい、通常は、大気圧と同じ圧力である。
また、上記回転電機用ステータは、モータ、ジェネレータ，モータジェネレータに用いることができる。
【００４２】
第３の発明において、上記ワニス含浸装置は、上記複数のスロットの上記軸方向他端面における開口部を覆って、該開口部を外気と遮断する閉塞空間を形成する空間形成手段と、該空間形成手段における上記閉塞空間を減圧する減圧手段とを有しており、上記空間形成手段は、上記ステータコアの上記軸方向他端面に対向させる対向部と、該対向部から環状に立設して上記ステータコアの外周側に配置する外周配置部とを形成してなる器状フレームであり、上記内周閉塞手段は、内部に気体を入れて膨張させることにより上記ステータコアの内周面に密着させるゴムチューブから構成してあり、上記外周閉塞手段は、上記外周配置部に保持し、内部に気体を入れて膨張させることにより上記ステータコアの外周面に密着させる円環形状のゴムチューブから構成してあり、上記加圧手段によって上記ワニス貯留容器内のワニスを加圧する際には、上記減圧手段によって上記閉塞空間を減圧するよう構成してあることが好ましい（請求項４）。
この場合には、加圧手段と減圧手段とを併用することによって、ステータコアの軸方向一端面側と軸方向他端面側との圧力差をさらに大きくすることができ、一方のコイルエンド部から複数のスロット内の隙間及びコイルの表面へのワニスの含浸をさらに効果的に行うことができる。
【００４３】
また、第４の発明において、上記ワニス含浸装置は、上記複数のスロットの上記軸方向他端面における開口部を覆って、該開口部を外気と遮断する閉塞空間を形成する空間形成手段と、該空間形成手段における上記閉塞空間を減圧する減圧手段とを有しており、上記空間形成手段は、上記ステータコアの上記軸方向他端面に対向させる対向部と、該対向部から環状に立設した環状立設部とを有し、該環状立設部の環状先端部を上記ステータコアの軸方向他端面に封止材を介して密着させた状態を形成するよう構成してあり、上記加圧手段によって上記ワニス貯留容器内のワニスを加圧する際には、上記減圧手段によって上記閉塞空間を減圧するよう構成してあることが好ましい（請求項６）。
この場合にも、加圧手段と減圧手段とを併用することによって、ステータコアの軸方向一端面側と軸方向他端面側との圧力差をさらに大きくすることができ、一方のコイルエンド部から複数のスロット内の隙間及びコイルの表面へのワニスの含浸をさらに効果的に行うことができる。
【実施例】
【００４４】
以下に、本発明の回転電機用ステータのワニス含浸装置及びワニス含浸方法にかかる実施例につき、図面を参照して説明する。
（実施例１）
本例の回転電機用ステータ７のワニス含浸装置１は、図１に示すごとく、複数の電磁鋼板８１を軸方向Ｌに積層したステータコア８における複数のスロット８２内にコイル７１を配置してなる回転電機用ステータ７に対し、複数のスロット８２内の隙間及びコイル７１の表面に、絶縁性のワニスＷを含浸させるものである。
本例のワニス含浸装置１は、図１、図２に示すごとく、ワニスＷを貯留するワニス貯留容器２と、ステータコア８の内周側から、複数の電磁鋼板８１同士の間の隙間の全体を塞ぐ内周閉塞手段３と、ステータコア８の外周側から、複数の電磁鋼板８１同士の間の隙間の全体を塞ぐ外周閉塞手段４と、複数のスロット８２の軸方向他端面８０２における開口部８２１を覆って、この開口部８２１を外気と遮断する閉塞空間５０を形成する空間形成手段５と、空間形成手段５における閉塞空間５０を減圧する減圧手段６１とを有している。
【００４５】
本例の空間形成手段５は、ステータコア８の軸方向他端面８０２に対向させる対向部５１と、対向部５１から環状に立設してステータコア８の外周側に配置する外周配置部５２とを形成してなる器状フレームである。本例の内周閉塞手段３は、内部に空気Ａを入れて膨張させることによりステータコア８の内周面に密着させるゴムチューブから構成してあり、本例の外周閉塞手段４は、外周配置部５２に保持し、内部に空気Ａを入れて膨張させることによりステータコア８の外周面に密着させる円環形状のゴムチューブから構成してある。
【００４６】
本例の回転電機用ステータ７のワニス含浸装置１においては、内周閉塞手段３及び外周閉塞手段４によって複数の電磁鋼板８１同士の間の隙間の全体を塞ぎ、ステータコア８の軸方向一端面８０１から突出するコイル７１の一部である一方のコイルエンド部７１１を、ワニス貯留容器２内のワニスＷに接触させると共に、複数のスロット８２の軸方向一端面８０１における開口部８２１を外気（ワニス貯留容器２の外部の大気等）と遮断させた状態を形成して、ステータ７を支持する。
その後、減圧手段６１によって閉塞空間５０を減圧し、この閉塞空間５０の圧力をワニスＷの液圧（大気圧）よりも低くすることによって、一方のコイルエンド部７１１から複数のスロット８２内の隙間及びコイル７１の表面へのワニスＷの浸透を促進させる。
【００４７】
以下に、本例の回転電機用ステータ７のワニス含浸装置１及びワニス含浸方法につき、図１〜図４を参照して詳説する。
図２に示すごとく、本例のステータ７は、複数のスロット８２内に絶縁紙７２を介して３相のコイル７１を配置してなる。コイル７１を構成する導線７１０は、銅材料等からなる導体部分の表面に樹脂材料等からなる絶縁被膜を形成してなる。ワニス含浸装置１によって含浸させるワニスＷは、スロット８２内から各電磁鋼板８１同士の間の隙間、絶縁紙７２とコイル７１を構成する導線７１０との間の隙間、絶縁紙７２とスロット８２との間の隙間、コイル７１を構成する導線７１０同士の間の隙間、軸方向Ｌの両端部のコイルエンド部７１１、７１２を構成する導線７１０の表面に含浸させる。
【００４８】
図１に示すごとく、本例のステータ７は、その軸方向Ｌを鉛直方向に向けてワニス貯留容器２に対して支持する。そして、空間形成手段５を構成する器状フレームの外周配置部５２における環状先端部５２１を、ワニス貯留容器２内のワニスＷに浸漬することにより、一方のコイルエンド部７１１をワニスＷに接触させた状態で、複数のスロット８２の軸方向一端面８０１における開口部８２１を外気と遮断させる。このとき、ステータコア８の軸方向一端面８０１とワニス貯留容器２内のワニスＷの液面との間には、空間２０が形成されるものの、この空間２０が外気と遮断された状態を形成する。これにより、閉塞空間５０がステータコア８の軸方向一端面８０１側において外部に開放されてしまうことを防止し、閉塞空間５０の真空度を維持することができる。
【００４９】
本例の内周閉塞手段３は、ゴムチューブ内に空気Ａを入れて膨張するよう構成したエアピッカーである。内周閉塞手段３は、軸方向Ｌに直交する断面が円形状になる形に膨張する。そして、内周閉塞手段３は、ステータコア８のスロット８２同士の間のティース８３に当接して、電磁鋼板８１同士の間の隙間及びスロット８２の径方向の開口部分を内周側から塞ぐ。
本例の外周閉塞手段４は、ゴムチューブ内に空気Ａを入れて膨張するよう構成したエアピッカーである。外周閉塞手段４は、軸方向Ｌに直交する断面が円環形状になる形に膨張する。そして、外周閉塞手段４は、ステータコア８の外周面に当接して、電磁鋼板８１同士の間の隙間を内周側から塞ぐ。
本例の減圧手段６１は、閉塞空間５０内の真空引きを行う真空ポンプである。
【００５０】
次に、上記ワニス含浸装置１を用いて、ステータ７に対してワニスＷを含浸させる方法につき説明する。
ステータ７に対してワニスＷの含浸を行うに当たっては、まず、ステータ支持工程として、ステータ７をワニス貯留容器２に対して支持させる。具体的には、まず、図１に示すごとく、内周閉塞手段３及び外周閉塞手段４によって複数の電磁鋼板８１同士の間の隙間の全体をステータコア８の内周側及び外周側から塞ぐ。また、器状フレーム５の外周配置部５２における環状先端部５２１をワニス貯留容器２内のワニスＷに浸漬させると共に、この環状先端部５２１をワニス貯留容器２の底部に載置することによって、減圧手段６１による閉塞空間５０内の減圧を行う際に、ステータコア８の軸方向一端面８０１側から空気の抜けが生じないようにする。そして、内周閉塞手段３、外周閉塞手段４及び器状フレーム５によって、ワニス貯留容器２に対して安定してステータ７を支持することができる。また、ステータコア８の軸方向一端面８０１から突出する一方のコイルエンド部７１１を、ワニス貯留容器２内のワニスＷに安定して接触させることができる。
【００５１】
次いで、ワニス含浸工程として、図１に示すごとく、減圧手段６１によって器状フレーム５における閉塞空間５０を減圧（真空引き）し、複数のスロット８２の軸方向他端面８０２における開口部８２１からスロット８２内の隙間の真空引きを行う。このとき、閉塞空間５０は、真空状態になり、閉塞空間５０の圧力がワニスＷの液圧（大気圧）よりも低くなる。これにより、ステータコア８の軸方向他端面８０２側へワニスＷを浸透させる吸引力を発生させることができる。
【００５２】
また、ステータコア８を構成する各電磁鋼板８１の間の隙間の全体が内周閉塞手段３及び外周閉塞手段４によって閉塞されていることにより、ステータコア８の軸方向他端面８０２側への吸引力を、複数のスロット８２内の隙間にのみ作用させることができる。これにより、一方のコイルエンド部７１１から複数のスロット８２内の隙間及びコイル７１の表面へのワニスＷの浸透を効果的に促進させることができる。そして、スロット８２内へワニスＷを含浸させる時間を短縮させることができる。特に、図２に示すごとく、複数のスロット８２内においてコイル７１の導線７１０同士の間、導線７１０と絶縁紙７２との間の狭い隙間へ、一方のコイルエンド部７１１から他方のコイルエンド部７１２へとワニスＷを効果的に浸透させることができる。
【００５３】
また、上記のごとく、内周閉塞手段３、外周閉塞手段４及び器状フレーム５によってステータ７をワニス貯留容器２に安定して支持することにより、ステータ７に対するワニスＷの接触状態が不安定になることを防止することができ、安定してワニスＷの含浸を行うことができる。
それ故、本例の回転電機用ステータ７のワニス含浸装置１及びワニス含浸方法によれば、ステータ７を安定して支持することができ、短時間で安定したワニスＷの含浸を行うことができる。
【００５４】
また、複数のスロット８２の軸方向一端面８０１側の開口部８２１を外気と遮断するためには、器状フレーム５の外周配置部５２における環状先端部５２１をワニス貯留容器２内のワニスＷに浸漬させる構造を採用する以外にも、次の構造を採用することができる。
すなわち、図３に示すごとく、一方のコイルエンド部７１１及びステータコア８の軸方向一端面８０１をワニス貯留容器２内のワニスＷに浸漬させ、複数のスロット８２の軸方向一端面８０１における開口部８２１をワニス貯留容器２内のワニスＷに開口させることによっても、複数のスロット８２の軸方向一端面８０１側の開口部８２１を外気と遮断することができる。
【００５５】
この場合には、ステータコア８の軸方向一端面８０１における取付部分８４（ステータコア８の外周側に突出し、ボルト７６を挿通させる穴を設けた部分）を、マスキングテープ等を貼着して覆っておくことができる。また、図４に示すごとく、ワニスＷ内に浸漬させる軸方向一端面８０１側は、ステータ７を回転電機のフレーム７５に取り付ける際に、ボルト７６の頭部が対面する側（フレーム７５に対する取付面８４１とは反対側）とすることができる。これにより、ステータコア８においてワニスＷの付着がない軸方向他端面８０２をフレーム７５に導通させることができ、また、軸方向他端面８０２と取付面８４１との接触状態が安定し、トルク反力を確実に受けることができる。さらに、ワニスＷの含浸が終わった後、軸方向一端面８０１に付着したワニスＷを剥がす作業をなくすことができる。
【００５６】
（実施例２）
本例は、ステータ７をワニス貯留容器２に対して支持する際の構造が上記実施例１と異なる例である。
本例の回転電機用ステータ７のワニス含浸装置１は、図５に示すごとく、ワニスＷを貯留するワニス貯留容器２と、ステータコア８の内周側の軸方向Ｌへの連通状態を閉塞する内周連通閉塞手段３と、複数のスロット８２の軸方向他端面８０２における開口部８２１を覆って、この開口部８２１を外気と遮断する閉塞空間５０を形成する空間形成手段５と、空間形成手段５における閉塞空間５０を減圧する減圧手段６１と、ステータコア８の軸方向他端面８０２を、ワニス貯留容器２における開口先端部２１に向けて押さえ付ける押圧手段６３とを有している。
【００５７】
本例のワニス貯留容器２は、その開口先端部２１をステータコア８の軸方向一端面８０１に対して封止材２１１（パッキン、ガスケット等）を介して密着させて、複数のスロット８２の軸方向一端面８０１における開口部８２１を外気（ワニス貯留容器２の外部の大気等）と遮断させた状態を形成するよう構成してある。本例の空間形成手段５は、その環状先端部５２１をステータコア８の軸方向他端面８０２に封止材５２２（パッキン、ガスケット等）を介して密着させた状態を形成するよう構成してある。
【００５８】
本例の内周連通閉塞手段３は、上記実施例１と同様のエアピッカーによって構成してある。本例の空間形成手段５は、ステータコア８の軸方向他端面８０２に対向させる対向部５１と、対向部５１から環状に立設した環状立設部５２Ａとを備えた器状フレーム５から構成してあり、環状立設部５２Ａの環状先端部５２１をステータコア８の軸方向他端面８０２に封止材５２２を介して密着させた状態を形成するよう構成してある。
本例の押圧手段６３は、空間形成手段５を押圧することによって、複数の電磁鋼板８１の積層状態を圧縮するよう構成してある。
【００５９】
本例においてもワニス含浸装置１を用いてステータ７へのワニスＷの含浸を行う。
本例においても、まず、ステータ支持工程として、ワニス貯留容器２に対してステータ７を支持する。具体的には、図５に示すごとく、内周連通閉塞手段３によってステータコア８の内周側の軸方向Ｌへの連通状態を閉塞し、ステータコア８の軸方向一端面８０１から突出する一方のコイルエンド部７１１を、ワニス貯留容器２内のワニスＷに接触させる。また、押圧手段６３によってステータコア８の軸方向他端面８０２を空間形成手段５を介して押圧することによって、ステータコア８を構成する複数の電磁鋼板８１同士の間の隙間をなくし、器状フレーム５の環状立設部５２Ａにおける環状先端部５２１をステータコア８の軸方向他端面８０２に封止材５２２を介して密着させ、かつワニス貯留容器２の開口先端部２１をステータコア８の軸方向一端面８０１に封止材２１１を介して密着させた状態を形成する。
【００６０】
これにより、減圧手段６１による閉塞空間５０内の減圧を行う際に、ステータコア８の軸方向一端面８０１側から空気の抜けが生じないようにする。そして、内周連通閉塞手段３、器状フレーム５及び押圧手段６３によって、ワニス貯留容器２に対して安定してステータ７を支持することができる。また、ステータコア８の軸方向一端面８０１から突出する一方のコイルエンド部７１１を、ワニス貯留容器２内のワニスＷに安定して接触させることができる。
【００６１】
次いで、ワニス含浸工程として、図５に示すごとく、減圧手段６１によって器状フレーム５における閉塞空間５０を減圧（真空引き）し、複数のスロット８２の軸方向他端面８０２における開口部８２１からスロット８２内の隙間の真空引きを行う。このとき、閉塞空間５０は、真空状態になり、閉塞空間５０の圧力がワニスＷの液圧（大気圧）よりも低くなる。これにより、ステータコア８の軸方向他端面８０２側へワニスＷを浸透させる吸引力を発生させることができる。
【００６２】
また、ステータコア８を構成する各電磁鋼板８１の間の隙間の全体が、内周連通閉塞手段３及び押圧手段６３によって閉塞され、かつ、複数のスロット８２の軸方向一端面８０１側及び軸方向他端面８０２側が外気と遮断されていることにより、ステータコア８の軸方向他端面８０２側への吸引力を、複数のスロット８２内の隙間にのみ作用させることができる。これにより、一方のコイルエンド部７１１から複数のスロット８２内の隙間及びコイル７１の表面へのワニスＷの浸透を効果的に促進させることができる。そして、スロット８２内へワニスＷを含浸させる時間を短縮させることができる。
本例においても、その他の構成は上記実施例１と同様であり、上記実施例１と同様の作用効果を得ることができる。
【００６３】
また、ワニス貯留容器２は、図６に示すごとく、ステータ７の軸方向一端面８０１を対面させる対面容器部２２と、連通路２４を介して対面容器部２２に連通した補助容器部２３とを有する形状に構成することができる。そして、複数のスロット８２の軸方向一端面８０１を外気から遮断していることにより、減圧手段６１により閉塞空間５０の真空引きを行ったときには、図７に示すごとく、ステータコア８の軸方向一端面８０１とワニスＷの液面との間の空間２０（図６参照）も真空引きされ、補助容器部２３内のワニスＷが対面容器部２２内へ移動し、一方のコイルエンド部７１１をワニスＷ内に浸漬させることができる。また、ワニスＷをステータコア８の軸方向一端面８０１に接触させることもできる。そして、複数のスロット８２の軸方向一端面８０１側からスロット８２内の隙間へワニスＷを供給することができる。
【００６４】
（実施例３）
本例は、減圧手段６１を用いる代わりに加圧手段６２を用いて、ステータ７に対するワニスＷの含浸を効果的に行う例である。
本例の回転電機用ステータ７のワニス含浸装置１は、図８に示すごとく、ワニスＷを貯留するワニス貯留容器２と、ステータコア８の内周側から、複数の電磁鋼板８１同士の間の隙間の全体を塞ぐ内周閉塞手段３と、ステータコア８の外周側から、複数の電磁鋼板８１同士の間の隙間の全体を塞ぐ外周閉塞手段４と、ワニス貯留容器２に貯留するワニスＷを、ステータコア８の軸方向一端面８０１に向けて加圧する加圧手段６２とを有している。
【００６５】
本例のワニス貯留容器２は、ステータ７の軸方向一端面８０１を対面させる対面容器部２２と、連通路２４を介して対面容器部２２に連通した加圧容器部２３とを有して構成されている。そして、加圧手段６２は、加圧容器部２３内に加圧空気Ｂを送り込むことによって、加圧容器部２３内のワニスＷを対面容器部２２に向けて加圧することによって、複数のスロット８２の軸方向一端面８０１側からスロット８２内の隙間へワニスＷを供給することができる。
【００６６】
本例の内周閉塞手段３及び外周閉塞手段４は、上記実施例１に示したエアピッカーと同様である。外周閉塞手段４は、ステータコア８の外周側に配置する円筒状フレーム５５の内周側に保持してある。円筒状フレーム５５の開口先端部５５１には、フランジ部５５２が形成してある。このフランジ部５５２とワニス貯留容器２の開口先端部２１との間に封止材２１１を配置して、円筒状フレーム５５をワニス貯留容器２に固定することによって、複数のスロット８２の軸方向一端面８０１側を外気と遮断する。
【００６７】
本例においてもワニス含浸装置１を用いてステータ７へのワニスＷの含浸を行う。
本例においても、まず、ステータ支持工程として、ワニス貯留容器２に対してステータ７を支持する。具体的には、図８に示すごとく、内周閉塞手段３及び外周閉塞手段４によって複数の電磁鋼板８１同士の間の隙間の全体を内周側及び外周側から塞ぐ。また、円筒状フレーム５５を封止材５５２を介してワニス貯留容器２に固定することによって、複数のスロット８２の軸方向一端面８０１側を外気と遮断する。これにより、加圧手段６２によりワニスＷの加圧を行う際に、複数の電磁鋼板８１同士の間の隙間、及びステータコア８の軸方向一端面８０１側とワニス貯留容器２との間からワニスＷの漏れがないようにすることができる。そして、内周閉塞手段３、外周閉塞手段４及び円筒状フレーム５５によって、ステータ７をワニス貯留容器２に対して支持する。
【００６８】
次いで、ワニス含浸工程として、図９に示すごとく、加圧手段６２によってワニス貯留容器２内のワニスＷをステータコア８の軸方向一端面８０１に向けて加圧する。このとき、ワニス貯留容器２内のワニスＷが移動し、ステータコア８の軸方向一端面８０１から突出する一方のコイルエンド部７１１がワニス貯留容器２内のワニスＷに浸漬される。また、内周閉塞手段３及び外周閉塞手段４によってステータコア８を構成する各電磁鋼板８１の間の隙間の全体が閉塞され、かつ複数のスロット８２の軸方向一端面８０１側の開口部８２１が外気と閉塞されていることにより、ステータコア８の軸方向他端面８０２側へのワニスＷの圧力を、複数のスロット８２内の隙間にのみ作用させることができる。
【００６９】
これにより、一方のコイルエンド部７１１から複数のスロット８２内の隙間及びコイル７１の表面へ、ワニスＷを強制的に含浸させることができる。そして、スロット８２内へワニスＷを含浸させる時間を短縮させることができる。特に、複数のスロット８２内においてコイル７１の導線７１０同士の間、導線７１０と絶縁紙７２との間の狭い隙間へ、一方のコイルエンド部７１１から他方のコイルエンド部７１２へとワニスＷを効果的に含浸させることができる（図２参照）。
それ故、本例の回転電機用ステータ７のワニス含浸装置１及びワニス含浸方法によれば、ワニスＷに加えられた圧力によって、短時間で安定したワニスＷの含浸を行うことができる。
本例においても、その他の構成は上記実施例１と同様であり、上記実施例１と同様の作用効果を得ることができる。
【００７０】
また、本例のワニス含浸装置１は、図１０に示すごとく、上記実施例１に示した減圧手段６１を併用することができる。ワニス含浸工程においては、加圧手段６２によってワニス貯留容器２内のワニスＷを加圧する際には、減圧手段６１によって閉塞空間５０を減圧する。
この場合には、図１１に示すごとく、加圧手段６２と減圧手段６１とを併用することによって、ステータコア８の軸方向一端面８０１側と軸方向他端面８０２側との圧力差をさらに大きくすることができ、一方のコイルエンド部７１１から複数のスロット８２内の隙間及びコイル７１の表面へのワニスＷの含浸をさらに効果的に行うことができる。
【００７１】
（実施例４）
本例も、減圧手段６１を用いる代わりに加圧手段６２を用いて、ステータ７に対するワニスＷの含浸を効果的に行う例である。
本例の回転電機用ステータ７のワニス含浸装置１は、図１２に示すごとく、ワニスＷを貯留するワニス貯留容器２と、ステータコア８の内周側の軸方向Ｌへの連通状態を閉塞する内周連通閉塞手段３と、ワニス貯留容器２に貯留するワニスＷを、ステータコア８の軸方向一端面８０１に向けて加圧する加圧手段６２と、ステータコア８の軸方向他端面８０２を、ワニス貯留容器２における開口先端部２１に向けて押さえ付ける押圧手段６３とを有している。
【００７２】
本例のワニス貯留容器２は、その開口先端部２１をステータコア８の軸方向一端面８０１に対して封止材２１１を介して密着させて、複数のスロット８２の軸方向一端面８０１における開口部８２１を外気（ワニス貯留容器２の外部の大気等）と遮断させた状態を形成するよう構成してある。
本例のワニス貯留容器２は、上記実施例３と同様に、対面容器部２２、加圧容器部２３及び連通路２４を有して構成されている。本例の内周連通閉塞手段３は、上記実施例１に示したエアピッカーと同様である。本例の加圧手段６２は、上記実施例３と同様である。
【００７３】
本例においてもワニス含浸装置１を用いてステータ７へのワニスＷの含浸を行う。
本例においても、まず、ステータ支持工程として、図１２に示すごとく、ワニス貯留容器２に対してステータ７を支持する。具体的には、内周連通閉塞手段３によってステータコア８の内周側の軸方向Ｌへの連通状態を閉塞し、押圧手段６３によってステータコア８の軸方向他端面８０２を押圧することによって、ステータコア８を構成する複数の電磁鋼板８１同士の間の隙間をなくし、かつワニス貯留容器２の開口先端部２１をステータコア８の軸方向一端面８０１に封止材２１１を介して密着させた状態を形成する。これにより、加圧手段６２によりワニスＷの加圧を行う際に、複数の電磁鋼板８１同士の間の隙間、及びステータコア８の軸方向一端面８０１側とワニス貯留容器２との間からワニスＷの漏れがないようにすることができる。そして、押圧手段６３によりステータ７をワニス貯留容器２に対して押圧して、ステータ７をワニス貯留容器２に支持する。
【００７４】
次いで、ワニス含浸工程として、図１３に示すごとく、加圧手段６２によってワニス貯留容器２内のワニスＷをステータコア８の軸方向一端面８０１に向けて加圧する。このとき、ワニス貯留容器２内のワニスＷが移動し、ステータコア８の軸方向一端面８０１から突出する一方のコイルエンド部７１１がワニス貯留容器２内のワニスＷに浸漬される。また、ステータコア８を構成する各電磁鋼板８１の間の隙間の全体が閉塞され、かつ複数のスロット８２の軸方向一端面８０１側の開口部８２１が外気と閉塞されていることにより、ステータコア８の軸方向他端面８０２側へのワニスＷの圧力を、複数のスロット８２内の隙間にのみ作用させることができる。
【００７５】
本例の回転電機用ステータ７のワニス含浸装置１によっても、上記実施例３と同様に、ワニスＷに加えられた圧力によって、短時間で安定したワニスＷの含浸を行うことができる。
本例においても、その他の構成は上記実施例３と同様であり、上記実施例３と同様の作用効果を得ることができる。
また、本例のワニス含浸装置１においても、上記実施例３と同様に、加圧手段６２と減圧手段６１とを併用することができる。
【符号の説明】
【００７６】
１  ワニス含浸装置
２  ワニス貯留容器
２１  開口先端部
３  内周閉塞手段
４  外周閉塞手段
５  空間形成手段（器状フレーム）
５０  閉塞空間
５１  対向部
５２  外周配置部
５５  円筒状フレーム
６１  減圧手段
６２  加圧手段
６３  押圧手段
７  回転電機用ステータ
７１  コイル
７１１  一方のコイルエンド部
７１２  他方のコイルエンド部
８  ステータコア
８０１  軸方向一端面
８０２  軸方向他端面
８１  電磁鋼板
８２  スロット
Ｌ  軸方向
Ｗ  ワニス
【図１】
2010239674.tif 000003
【図２】
2010239674.tif 000004
【図３】
2010239674.tif 000005
【図４】
2010239674.tif 000006
【図５】
2010239674.tif 000007
【図６】
2010239674.tif 000008
【図７】
2010239674.tif 000009
【図８】
2010239674.tif 000010
【図９】
2010239674.tif 000011
【図１０】
2010239674.tif 000012
【図１１】
2010239674.tif 000013
【図１２】
2010239674.tif 000014
【図１３】
2010239674.tif 000015